(57)【要約】      （修正有）【課題】ウィルスに汚染されることを防ぎ、デジタルコンテンツやユーザーの個人情報が外部に流出したり破壊されたりするのを防ぐとともに、年少者でもデジタルコンテンツの配信を受けられるデジタルコンテンツの配信システムを提供する。【解決手段】デジタルコンテンツの制作者のサーバー１１０と、デジタルコンテンツ配信者のコンピューター１３０およびメインサーバー１５０と、デジタルコンテンツ配信者の端末１７０がそれぞれ通信回線で接続されて構成され、コンピューター１３０はサーバー１１０から受信するデジタルコンテンツのウィルスを検知し除去する手段を備え、デジタルコンテンツ配信者の端末１７０は、ユーザーの記憶手段がウィルスに汚染されているかいないかを検知する手段とウィルスに汚染されているときはウィルスを除去する手段とを有するウィルス検知除去装置を備えた。【選択図】図１
2009230444.tif 000002
【特許請求の範囲】
【請求項１】
デジタルコンテンツを保持するサーバーと通信回線で接続されたコンピューターと、
前記コンピューターと通信回線で接続されたメインサーバーと、
前記メインサーバーと通信回線で接続された端末と、
からなるデジタルコンテンツ配信システムであって、
前記デジタルコンテンツは音楽データ及び付加情報並びに映像データ及び付加情報からなり、
前記コンピューターは、
前記サーバーから受信したデジタルコンテンツがウィルスに汚染されていないかを検知する手段と、
前記サーバーから受信したデジタルコンテンツがウィルスに汚染されているときにウィルスを除去する手段と、
ウィルスに汚染されていないデジタルコンテンツを保持する手段と、
ウィルスに汚染されていないデジタルコンテンツを前記メインサーバーに前記通信回線により送信する手段と、
ウィルスに汚染されていないデジタルコンテンツを前記メインサーバーに送信する間前記サーバーと前記コンピューターとの間の通信回線の接続をオフにする手段と、
ウィルスに汚染されていないデジタルコンテンツを前記メインサーバーに送信する間前記コンピューターと前記メインサーバーとの間の通信回線の接続をオンにする手段と、
ウィルスに汚染されていないデジタルコンテンツの前記メインサーバーへの送信が終了したときに前記メインサーバーとの通信回線の接続をオフにする手段と、
を備え、
前記メインメインサーバーは、
前記コンピューターから送信されたデジタルコンテンツを保持する手段と、
前記デジタルコンテンツの付加情報を前記端末に送信する手段と、
を備え、
前記端末は、
前記メインサーバーと接続する本体と前記本体と接続しユーザーの記憶手段が接続されるウィルス検知除去装置とからなり、
前記ウィルス検知除去装置は、
前記ユーザーが接続した前記記憶手段がウィルスに汚染されていないかを検知する手段と、
前記ユーザーが接続した前記記憶手段がウィルスに汚染されているときにウィルスに汚染されていることを前記ユーザーに伝達する手段と、
前記ユーザーが前記記憶手段からウィルスの除去を求めたときにウィルスを除去する手段と、
前記記憶手段がウィルスに汚染されていないことを確認した後に、前記本体と前記ウィルス検知除去装置との接続をオンにする手段と、
を備え、
前記本体は、
前記メインサーバーに保持された前記デジタルコンテンツの前記付加情報を前記メインサーバーから受信し保持する手段と、
前記本体に保持された前記付加情報により前記メインサーバーに保持されたデジタルコンテンツを前記ユーザーが検索し選択する手段と、
前記ユーザーが検索し選択した前記デジタルコンテンツを前記メインサーバーから前記端末を経由して前記端末に接続された前記ユーザーの前記記憶手段にダウンロードさせる手段と、
ダウンロードが終了したときに前記本体と前記ウィルス検知除去装置との接続をオフにする手段と、
を備えたことを特徴とするデジタルコンテンツ配信システム。
【請求項２】
前記コンピューターと前記メインサーバーとの間の通信回線の接続がオンにされると同時に前記メインサーバーと前記端末の本体との間の通信回線の接続をオンにし、
ウィルスに汚染されていない前記デジタルコンテンツを前記コンピューターから前記メインサーバーに送信すると同時に前記デジタルコンテンツの前記付加情報を前記メインサーバーから前記端末の本体に送信し、
前記デジタルコンテンツの前記コンピューターから前記メインサーバーへの送信と前記メインサーバーから前記端末の本体への前記付加情報の送信の終了と同時に前記メインサーバーと前記端末の本体との間の通信回線の接続をオフにすること、
を特徴とする請求項１記載のデジタルコンテンツ配信システム。
【発明の詳細な説明】
【技術分野】
【０００１】
本発明は、デジタルコンテンツ配信システム、特にデジタルコンテンツをオンライン配信する技術に関する。
【背景技術】
【０００２】
近年、音楽や影像を含むデジタルコンテンツがデジタルコンテンツの制作者のサーバーからネットワーク回線を通じてユーザーに配信されている。
【発明の開示】
【発明が解決しようとする課題】
【０００３】
しかし、ネットワーク回線を通じてデジタルコンテンツを配信する場合、当該配信システムがネットワーク回線を介してウィルスに感染たり、ユーザーの記憶手段を介してウィルスに汚染されたりして、デジタルコンテンツが配信者の意思に反して流出したり、ユーザーの個人情報、例えばクレジットカードの番号、がユーザーの意思に反して流出したりする危険がある。
【０００４】
このため、ウィルスによる汚染のおそれのないデジタルコンテンツ配信システムが望まれている。
【０００５】
また、カード決済であるため、一定の年令以上の者でないと事実上クレジットカードを持てないことにより、クレジットカードを持てない音楽や影像のデジタルコンテンツの重要な顧客である若年層がデジタルコンテンツの配信を受けられないという難点がある。
【０００６】
このため、現金でも決済できるデジタルコンテンツ配信システムが望まれている。
【課題を解決するための手段】
【０００７】
本発明に係るデジタルコンテンツ配信システムは、ユーザーに対する配信の対象となるデジタルコンテンツを保持するデジタルコンテンツの制作者のサーバーと通信回線で接続したデジタルコンテンツ配信者のコンピューターと、前記コンピューターと通信回線を通じて接続されたデジタルコンテンツ配信者のメインサーバーと、前記メインサーバーと通信回線で接続されたデジタルコンテンツの配信者の端末とからなり、前記端末は、前記メインサーバーと通信回線で接続された端末本体と、前記端末本体と回線で接続されユーザーの記憶手段が接続されるウィルス検知除去装置とからなり、前記コンピューターは、前記デジタルコンテンツを保持するサーバーから通信回線でデジタルコンテンツ、即ち、音楽データ及び曲名、作詞者、作曲者、編曲者、著作年、実演家などの付加情報、並びに、映像データ及び製作者、著作者、製作年、実演家などの付加情報、を受信し、ウィルスチェックをして受信したデジタルコンテンツがウィルスで汚染されていないかをチェックし、ウィルスに汚染されているときはウィルスを除去し、受信したデジタルコンテンツがウィルスで汚染されていないことを確認した後ウィルスで汚染されていないデジタルコンテンツを保持し、前記サーバーとの通信回線の接続を一時的にオフにし前記メインサーバーとの通信回線の接続を一時的にオンにして、前記メインサーバーにウィルスにより汚染されていないデジタルコンテンツを前記通信回線により送信し、前記メインサーバーはこれを受信して保持し、前記メインサーバーは前記メインサーバーと通信回線により接続された前記端末の本体に、前記メインサーバーより前記音楽データの付加情報及び映像データの付加情報を送信し、前記端末の本体は前記メインサーバーより送信された前記付加情報を保持し、前記端末のウィルス検知除去装置は前記ウィルス検知除去装置にデジタルコンテンツのユーザーの記憶手段が接続されたときに、ユーザーの記憶手段がウィルスに汚染されていないかをチェックし、前記ユーザーの記憶手段がウィルスに汚染されているときは前記ユーザーの記憶手段がウィルスに汚染されていることをユーザーに知らせ、ユーザーが求めるときはウィルスを除去し、前記ユーザーの記憶手段がウィルスに汚染されていないことを確認した後、前記端末の本体と前記端末のウィルス検知除去装置との間の回線の接続を一時的にオンにし、ユーザーは前記端末の本体に保持された前記付加情報により前記メインサーバーに保持されたデジタルコンテンツの検索及び選択をし、選択にかかる前記メインサーバーに保持されたデジタルコンテンツの配信要求を前記端末の本体を用いてすることができ、前記メインサーバーは前記メインサーバーに前記端末の本体から伝えられるユーザーの配信要求に従がい配信要求されたデジタルコンテンツを前記端末を経由してユーザーが前記端末に接続したユーザーの記憶手段にダウンロードし、ダウンロードが終了したときに前記端末の本体と前記端末のウィルス検知除去装置との接続をオフにすることを特徴とする、デジタルコンテンツ配信システムからなる。
【発明の効果】
【０００８】
本発明は、デジタルコンテンツを端末を介して配信するメインサーバーを、ユーザーに対する配信を希望するデジタルコンテンツの制作者のデジタルコンテンツを保持し送信するサーバーと通信回線を通じて接続したコンピューターと通信回線によって接続し、他方、メインサーバーと通信回線により接続した端末によりユーザーがデジタルコンテンツの検索、選択及びダウンロードを行うことにより、配信システムがウィルスに汚染され、デジタルコンテンツが流出したり、ユーザーの個人情報が流出したりすることを防ぐことが出来ることになる。
【０００９】
本発明は、また、ユーザーがデジタルコンテンツのダウンロードの料金をクレジットカードや電子マネーのみではなく現金でも支払うことができることにより、カードや電子マネーを所持することの事実上出来ない若年層のユーザーにもデジタルコンテンツの提供が出来ることになる。
【発明を実施するための最良の形態】
【００１０】
以下、本発明に係るデジタルコンテンツ配信システムに関し実施の形態について図面を参照しつつ説明するが、この発明の実施の形態に係るシステムによって特許請求の範囲に記載された発明が限定されるものではない。
【００１１】
図において、本発明の実施例によるデジタルコンテンツを配信するためのシステム１００が示されている。
【００１２】
音楽データ及び曲名、作詞者、作曲者、編曲者、著作年、実演家などの付加情報、並びに、映像データ及び製作者、著作者、製作年、実演家などの付加情報、は制作者のサーバー１１０に保持されている。
【００１３】
デジタルコンテンツ配信者のコンピューター１３０は、通信回線１２０でデジタルコンテンツの制作者のサーバー１１０と接続されている。デジタルコンテンツの制作者は、ユーザーに配信されることを希望するデジタルコンテンツを通信回線１２０を通じてデジタルコンテンツ配信者のコンピューター１３０に随時送信する。
【００１４】
デジタルコンテンツ配信者のコンピューター１３０は、複数の通信回線１２０を通じて複数のデジタルコンテンツの制作者のサーバー１１０と接続しても良い。また、一つ又は複数のデジタルコンテンツの制作者のサーバー１１０と一つ又は複数の通信回線１２０で接続された複数のデジタルコンテンツ配信者のコンピューター１３０を、複数の通信回線１２０でデジタルコンテンツの配信者のメインサーバー１５０に接続しても良い。
【００１５】
サーバー１１０から通信回線１２０を通してコンピューター１３０に送信されたデジタルコンテンツは、ウィルスに汚染されていないかをチェックされ、ウィルスに汚染されているときはウィルスが除去され、ウィルスに汚染されていないことが確かめられたデジタルコンテンツのみがコンピューター１３０に保持される。
【００１６】
デジタルコンテンツ配信者のコンピューター１３０は、デジタルコンテンツ配信者のメインサーバー１５０に通信回線１４０で接続される。
【００１７】
デジタルコンテンツ配信者のコンピューター１３０に保持された、デジタルコンテンツ制作者から送信されたデジタルコンテンツであって、ウィルスに汚染されていないことが確かめられたデジタルコンテンツは、デジタルコンテンツの制作者のサーバー１１０との通信回線１２０を一時的にオフにし、デジタルコンテンツ配信者のメインサーバー１５０との通信回線１４０を一時的にオンにして、コンピューター１３０からデジタルコンテンツ配信者のメインサーバー１５０に送信されメインサーバー１５０に保持される。
【００１８】
デジタルコンテンツ配信者のコンピューター１３０とデジタルコンテンツ配信者のメインサーバー１５０とを接続する通信回線１４０は、デジタルコンテンツ配信者のコンピューター１３０からデジタルコンテンツ配信者のメインサーバー１５０にデジタルコンテンツの送信を開始する時にオンにし、デジタルコンテンツの送信が終了した時にオフにし、デジタルコンテンツをメインサーバー１５０に送信する時以外は、接続をオフにしておく。
【００１９】
デジタルコンテンツ配信者のメインサーバー１５０は通信回線１６０でデジタルコンテンツ配信者の端末１７０に接続される。複数のデジタルコンテンツの配信者の端末１７０が複数の通信回線１６０でデジタルコンテンツ配信者のメインサーバー１５０に接続されることが予定されるが、単一のデジタルコンテンツ配信者の端末１７０が単一の通信回路１６０でデジタルコンテンツ配信者のメインサーバー１５０に接続されても良い。
【００２０】
デジタルコンテンツ配信者の端末１７０は、本体１８０とウィルス検知除去装置１９０とからなる。デジタルコンテンツ配信者の端末の本体１８０はデジタルコンテンツ配信者のメインサーバー１５０と通信回線１６０で接続され、デジタルコンテンツ配信者の端末１７０のウィルス検知除去装置１９０はデジタルコンテンツ配信者の端末１７０の本体１８０と回線で接続されている。
【００２１】
デジタルコンテンツ配信者の端末１７０は、レコード店やカラオケハウスやコンビニ等デジタルコンテンツの需要者の来集する任意の場所に設置することができる。
【００２２】
デジタルコンテンツ配信者のメインサーバー１５０とデジタルコンテンツ配信者の端末１７０の本体１８０とを接続する通信回線１６０は常時接続をオンにし、随時デジタルコンテンツ配信者のメインサーバー１５０に保持されたデジタルコンテンツの付加情報がデジタルコンテンツ配信者の端末１７０の本体１８０に送信され、本体１８０に保持される。
【００２３】
デジタルコンテンツ配信者のメインサーバー１５０とデジタルコンテンツ配信者の端末１７０の本体１８０とを接続する通信回線１６０は、常時接続をオフにしておき、デジタルコンテンツ配信者のコンピューター１３０とデジタルコンテンツ配信者のメインサーバー１５０との間の通信回線の接続がオンにされると同時に通信回線１６０をオンにして、デジタルコンテンツがコンピューター１３０からメインサーバー１５０に送信されると同時に付加情報をメインサーバー１５０から端末１７０の本体１８０に送信し、コンピューター１３０からメインサーバー１５０へのデジタルコンテンツの送信とメインサーバー１５０から端末１７０の本体１８０への付加情報の送信が終了すると同時に、コンピューター１３０とメインサーバー１５０とを接続する通信回線１４０及びメインサーバー１５０と端末１７０の本体１８０とを接続する通信回線１６０の接続をオフにしても良い。
【００２４】
デジタルコンテンツ配信者の端末１７０のウィルス検知除去装置１９０は、ユーザーがユーザーの記憶手段２００をデジタルコンテンツ配信者の端末１７０に接続したときにユーザーの記憶手段２００と接続され、ユーザーの記憶手段２００を介してデジタルコンテンツ配信者の端末１７０がウィルスに汚染されることを防ぐため、ユーザーの記憶手段がウィルスに汚染されていないかを検知し、ユーザーの記憶手段がウィルスに汚染されているときはこれをユーザーに知らせ、ユーザーが求めるときはユーザーの記憶手段２００のウィルスを除去し、ユーザーの記憶手段２００がウィルスに汚染されていないことを確かめた後に、デジタルコンテンツ配信者の端末１７０のウィルス検知除去装置１９０とデジタルコンテンツ配信者の端末１７０の本体１８０との間の回線の接続を一時的にオンにし、ユーザーがデジタルコンテンツ配信者の端末１７０の本体１８０に保持された付加情報によりデジタルコンテンツ配信者のメインサーバー１５０に保持されたデジタルコンテンツを検索し、好みのデジタルコンテンツを選択し、ユーザーの選択したデジタルコンテンツの配信要求はデジタルコンテンツ配信者の端末１７０の本体１８０から通信回線１６０を通してデジタルコンテンツ配信者のメインサーバー１５０に送信され、配信要求されたデジタルコンテンツはユーザーのＭＰ３などの記憶手段２００にメインサーバー１５０から配信者の端末１７０を経由してダウンロードされ、ダウンロードが完了したときにデジタルコンテンツ配信者の端末１７０の本体１８０とウィルス検知除去装置１９０との接続をオフにする。
【００２５】
デジタルコンテンツ配信者のメインサーバー１５０や端末１７０がウィルスに汚染されるおそれが無く、また、デジタルコンテンツ配信者の端末１７０、デジタルコンテンツ配信者の端末１７０が接続されるメインサーバー１５０及びメインサーバー１５０が接続されるコンピューター１３０がネットワーク回線で外部と接続されていないので、デジタルコンテンツがデジタルコンテンツ配信者の意思に反して外部に流出したり、デジタルコンテンツが破壊されたりするおそれは無い。
【００２６】
ユーザーは、デジタルコンテンツをダウンロードするに際して料金を支払うことを要するが、その料金は、現金又はキャッシュカード又はクレジットカードで端末１７０を設置しているレコード店やカラオケハウスやコンビニ等に支払っても良いし、氏名やクレジットカードの番号をデジタルコンテンツ配信者の端末１７０に入力して支払っても良い。
【００２７】
ユーザーがデジタルコンテンツ配信者の端末１７０に氏名やクレジットカードの番号を入力して支払いをする場合でも、デジタルコンテンツ配信者のメインサーバー１５０や端末１７０がウィルスにより汚染されるおそれが無く、また、デジタルコンテンツ配信者の端末１７０が接続されているメインサーバー１５０及びメインサーバー１５０が接続されているコンピューター１３０がネットワーク回線で外部と接続されていないので、ユーザーの氏名やクレジットカードの番号が外部に流出するおそれは無い。
【産業上の利用可能性】
【００２８】
本発明は、デジタルコンテンツの配信システムであり、デジタルコンテンツの配信に関するコンピューターやサーバーを用いたシステムへの利用の可能性がある。
【図面の簡単な説明】
【００２９】
【図１】本発明の実施の形態に係るデジタルコンテンツ配信システムのブロック図である。
【符号の説明】
【００３０】
１００    デジタルコンテンツ配信システム
１１０    制作者のサーバー
１２０    通信回線
１３０    配信者のコンピューター
１４０    配信者のコンピューターと配信者のメインサーバーとの通信回線
１５０    配信者のメインサーバー
１６０    配信者のメインサーバーと配信者の端末との通信回線
１７０    配信者の端末
１８０    配信者の端末の本体
１９０    配信者の端末のウィルス検知除去装置
２００    ユーザーの記憶手段
【図１】
2009230444.tif 000003